(57)【要約】      （修正有）【課題】水処理用カートリッジの交換作業を簡単に行える浄水器を提供する。【解決手段】円筒状のハウジング１０の下端に原水導入口管及び浄水流出口管２５を有する底蓋部を設けた水処理用カートリッジ１と、架台ユニット２００とを備える。ハウジング１０は下端に周方向に略等間隔で設けた係合凸条部を備える。架台ユニット２００は原水給水口部２４と浄水出水口部２５を有するベース台部２と、ベース台部２に固設した載置用台部３と、ベース台部２上に回転可能に設けた可動リング部４とを備える。載置用台部３に原水導入口管及び浄水流出口管２５を係入すると共に原水給水口部２４及び浄水出水口部２５と連通する第１及び第２の係入口部を設ける。台板部の外周部に設けた円筒状の垂直壁に各係合凸条部と対応させて各係合凸条部を係合する係合凹部を形成する。可動リング部４に垂直壁の上端と対向する押え用フランジ部を形成し、フランジ部に各係合凹部と対応させて切欠凹部を設ける。【選択図】図７
0003208590.tif 000002
【実用新案登録請求の範囲】
【請求項１】
水処理用カートリッジと架台ユニットとを備え、前記カートリッジを前記架台ユニットに着脱可能に設置して使用する浄水器であって、
前記カートリッジは、上端を閉塞し、内部に水処理剤を充填した円筒状ハウジングと、前記ハウジングの下端に固定して設けた底蓋部と、前記底蓋部に突設した原水導入口管及び浄水流出口管と、管体の上下端を開口し、下端を前記原水導入口管と連通すると共に上端を前記ハウジング内の上端部近くに位置させて、前記ハウジング内に立設した流水管と、前記ハウジングの下端に周方向に略等間隔で所望数設けた所定の幅及び高さの係合凸条部とを備え、
前記架台ユニットは、下端に底蓋部を設けると共に上端を開口した所望の直径及び高さの円筒皿状のベース台部と、前記ベース台部の中央部に配置し、前記ベース台部に固定して設けた載置用台部と、前記ベース台部の円筒部と略同径の円筒状に形成し、前記ベース台部上に周方向に回転可能、かつ、係止手段により前記ベース台部に対して横方向及び上下方向への動きを係止して設けた可動リング部と、前記可動リング部の正逆方向の回転範囲を規制するストッパー手段とを備え、
前記ベース台部は、外方へ開口して設けた原水給水口部と浄水出水口部とを備え、
前記載置用台部は、円形状の台板部と、前記台板部に設けられ、前記原水導入口管を気密に係入する第１の係入口部と、前記浄水流出口管を気密に係入する第２の係入口部と、前記第１の係入口部と前記原水吸水口部とを連通する第１の流水通路と、前記第２の係入口部と前記浄水出水口部とを連通する第２の流水通路と、前記台板部の外周部に沿わせて垂直に延設した所定の高さの円形状の垂直壁と、前記垂直壁の周方向に前記カートリッジの前記各係合凸条部間の間隔と対応する間隔、かつ、前記係合凸条部の幅及び高さと対応させて設け、前記各係合凸条部を係合する係合凹部とを備え、
前記可動リング部は、円筒部と、前記垂直壁の上端と対向させるように、前記円筒部の上端から内側方向へ折曲して形成した押え用フランジ部と、前記フランジ部に設け、前記各係合凸条部を係入可能な切欠凹部とを備え、
前記可動リング部を所定角度回転して可動リング部の前記各切欠凹部と前記載置用台部の前記各係合凹部を合致させた状態で前記カートリッジの前記原水導入口管及び浄水流出口管を前記載置用台部の前記第１及び第２の係入口部に係入すると共に前記カートリッジの前記各係合凸条部を前記各切欠凹部を介して前記各係合凹部に係合させた後、前記可動リング部を所定方向へ所定角度回転することにより、前記カートリッジを前記架台ユニットに着脱可能に起立固定して設置するように構成した
ことを特徴とする浄水器。
【請求項２】
請求項１に記載の浄水器において、
前記載置用台部は、前記円形状の台板部の外周面の周縁部に沿わせて形成した案内用係合溝を有していると共に、前記可動リング部は、前記円筒部内に固定して対設した１対の案内用湾曲係合板を有し、前記両湾曲係合板は前記両湾曲係合板の内側端部を前記案内用係合溝に摺動可能に係合されていることを特徴とする浄水器。
【請求項３】
請求項１に記載の浄水器において、
円筒状のボディの上端部に第１の流入口、下端部に第１の流出口、及び側部に第２の流出口と第２の流入口を有すると共に内部に流路切替ユニットを有するコック本体と、前記コック本体に設けた操作用レバーとを有する切替コックと、前記第２の流出口と前記架台ユニットのベース台部の前記原水給水口部を接続する第１の接続ホースと、前記第２の流入口を前記ベース台部の前記浄水出水口部を接続する第２の接続ホースとをさらに備え、
前記レバーを操作して、前記蛇口からの原水の流路を前記第２の流出口側え切替えて前記浄水器を通過させて前記第１の流出口から流出させる切替流路と、前記蛇口からの原水の流路を前記浄水器を通過させないでストレートで前記第１の流出口から流出させる切替流路とに選択して切替可能に構成されていることを特徴とする浄水器。
【請求項４】
請求項３に記載の浄水器において、
前記切替コックの前記第１の流出口は、水を集束状態で流出するストレート流出口と、水をシャワー化して吐出するシャワー流出口とを備え、
前記レバーを操作して、前記蛇口からの原水の流路を前記第２の流出口側に切替えて前記浄水器を通過させ前記ストレート流出口から流出させる第１の切替流路と、前記蛇口からの原水の流路を前記浄水器を通過させないで、原水のままでストレート流出口から流出させる第２の切替流路と、前記蛇口からの原水の流路を前記浄水器を通過させないで、原水のままでシャワー流出口からシャワー化して吐出する第３の切替流路とに切替可能に構成されていることを特徴とする浄水器。
【考案の詳細な説明】
【技術分野】
【０００１】
本考案は水道水等の水を活性浄化等、処理する浄水器に関する。
【背景技術】
【０００２】
従来、例えば家庭や事務所等で使用する浄水器として、水活性や活性炭その他の水処理剤を充填した水処理用カートリッジを、入水口及び送水口を有するハウジング内に収納して構成したものが一般に知られている（例えば特許文献１、２等参照）。
【０００３】
上記従来の浄水器によれば、水道水等を任意の水処理剤で処理して飲料水として使用することができる。
【先行技術文献】
【特許文献】
【０００４】
【特許文献１】実開平６−１１８８７号公報
【特許文献２】特開平７−３９８８３号公報
【考案の概要】
【考案が解決しようとする課題】
【０００５】
通常、水処理用カートリッジは、使用開始後に一定期間経過すると水処理効果が著しく低下するため、新しいカートリッジと交換する必要がある。
【０００６】
しかし、従来の浄水器は、先行文献に開示されているように、カートリッジをハウジング内に収納してあるため、カートリッジの交換作業が煩雑で手間が掛る問題を有していた。
【０００７】
すなわち、カートリッジを交換する際には、ハウジング側のボルトやナット等を緩めて蓋等を取り外して使用済みのカートリッジを取出し、新しいカートリッジをハウジング内に収納して閉塞すると共にボルトやナット等を締付けてセットしている。そのため、カートリッジの交換作業が煩雑で多くの時間と手間が掛り、熟練を要している。
【０００８】
本考案は上記のような事情に鑑み、熟練を要すことなく、カートリッジを簡単かつ円滑良好に行うことができる浄水器を提供することを目的とするものである。
【課題を解決するための手段】
【０００９】
上記目的を達成するため、本考案のうち１つの考案（第１の考案）は、水処理用カートリッジと架台ユニットとを備え、前記カートリッジを前記架台ユニットに着脱可能に設置して使用する浄水器であって、
前記カートリッジは、上端を閉塞し、内部に水処理剤を充填した円筒状ハウジングと、前記ハウジングの下端に固定して設けた底蓋部と、前記底蓋部に突設した原水導入口管及び浄水流出口管と、管体の上下端を開口し、下端を前記原水導入口管と連通すると共に上端を前記ハウジング内の上端部近くに位置させて、前記ハウジング内に立設した流水管と、前記ハウジングの下端に周方向に略等間隔で所望数設けた所定の幅及び高さの係合凸条部とを備え、
前記架台ユニットは、下端に底蓋部を設けると共に上端を開口した所望の直径及び高さの円筒皿状のベース台部と、前記ベース台部の中央部に配置し、前記ベース台部に固定して設けた載置用台部と、前記ベース台部の円筒部と略同径の円筒状に形成し、前記ベース台部上に周方向に回転可能、かつ、係止手段により前記ベース台部に対して横方向及び上下方向への動きを係止して設けた可動リング部と、前記可動リング部の正逆方向の回転範囲を規制するストッパー手段とを備え、
前記ベース台部は、外方へ開口して設けた原水給水口部と浄水出水口部とを備え、
前記載置用台部は、円形状の台板部と、前記台板部に設けられ、前記原水導入口管を気密に係入する第１の係入口部と、前記浄水流出口管を気密に係入する第２の係入口部と、前記第１の係入口部と前記原水吸水口部とを連通する第１の流水通路と、前記第２の係入口部と前記浄水出水口部とを連通する第２の流水通路と、前記台板部の外周部に沿わせて垂直に延設した所定の高さの円形状の垂直壁と、前記垂直壁の周方向に前記カートリッジの前記各係合凸条部間の間隔と対応する間隔、かつ、前記係合凸条部の幅及び高さと対応させて設け、前記各係合凸条部を係合する係合凹部とを備え、
前記可動リング部は、円筒部と、前記垂直壁の上端と対向させるように、前記円筒部の上端から内側方向へ折曲して形成した押え用フランジ部と、前記載置台部の各係合凹部と対応させて前記フランジ部に設け、前記各係合凸条部を係入可能な切欠凹部とを備え、
前記可動リング部を所定角度回転して可動リング部の前記各切欠凹部と前記載置用台部の前記各係合凹部を合致させた状態で前記カートリッジの前記原水導入口管及び浄水流出口管を前記載置用台部の前記第１及び第２の係入口部に係入すると共に前記カートリッジの前記各係合凸条部を前記各切欠凹部を介して前記各係合凹部に係合させた後、前記可動リング部を所定方向へ所定角度回転することにより、前記カートリッジを前記架台ユニットに着脱可能に起立固定して設置するように構成したことを特徴とする。
【００１０】
上記のように構成すると、可動リングを所定角度回転して可動リングの各切欠凹部を載置用台部の各係合凹部に合致させることにより、カートリッジの各係合凸条部を各切欠凹部を介して各係合凹部に係合可能になる。そこで、上記状態でカートリッジの原水導入口管及び浄水流出口管を載置用台部の第１及び第２の係入口部に係入すると共にカートリッジの各係合凸条部を各切欠凹部を介して各係合凹部に係合させた後、可動リング部を所定方向へ所定角度回転することにより、各係合凸条部は各係合凹部の上壁面と可動リング部の押え用フランジ部で挟むように押えられロックされる。したがって、上記により、カートリッジは架台ユニットの載置用台部上に起立固定して設置される。
【００１１】
そして、上記状態で可動リング部を所定方向に所定角度回転して各切欠凹部を各係合凹部に合致させることにより、前記ロックは解除されるので、カートリッジを引張ることにより、架台ユニットから簡単に取り外すことができる。
【００１２】
上記したように、カートリッジ交換時の取り外し及び取付けてセットする作業を簡単かつ円滑良好に行うことができる。
【００１３】
なお、上記の場合において、可動リング部を所定角度回転して位置決めする回転角度の範囲は、ストッパー手段で規制して設定することができる。
【００１４】
一方、架台ユニットのベース台部の原水給水口部から圧力供給される水道水等の原水は、第１の流水通路、原水導入口管を介し流水管に導入され、流水管の上端から流出し、水処理剤を通過して水処理剤で活性浄化等処理されて、浄水流出口管、第２の流水通路を介してベース台部の浄水出水口部から出水する。
【００１５】
本考案の他の１つの考案（第２の考案）は、第１の考案の浄水器において、前記載置用台部は、前記円形状の台板部の外周面の周縁部に沿わせて形成した案内用係合溝を有していると共に、前記可動リング部は、前記円筒部内に固定して対設した１対の案内用湾曲係合板を有し、前記両湾曲係合板は前記両湾曲係合板の内側端部を前記案内用係合溝に摺動可能に係合されていることを特徴とする。
【００１６】
上記のように構成すると、可動リング部は前記両湾曲係合板の係合溝との係合により、案内されて回転する。したがって、可動リング部の回転操作（動作）を円滑良好にする。また、前記両湾曲係合板の係合溝への係合により、可動リング部をベース台部に対して横方向及び上下方向への動きを係止するストッパー機能として作用する。
【００１７】
本考案のさらに他の１つの考案（第３の考案）は、第１の考案の浄水器において、円筒状のボディの上端部に第１の流入口、下端部に第１の流出口、及び側部に第２の流出口と第２の流入口を有すると共に内部に流路切替ユニットを有するコック本体と、前記コック本体に設けた操作用レバーとを有する切替コックと、前記第２の流出口と前記架台ユニットのベース台部の前記原水給水口部を接続する第１の接続ホースと、前記第２の流入口を前記ベース台部の前記浄水出水口部を接続する第２の接続ホースとをさらに備え、
前記レバーを操作して、前記蛇口からの原水の流路を前記第２の流出口側え切替えて前記浄水器を通過させて前記第１の流出口から流出させる切替流路と、前記蛇口からの原水の流路を前記浄水器を通過させないでストレートで前記第１の流出口から流出させる切替流路とに選択して切替可能に構成されていることを特徴とする。
【００１８】
本考案のさらに他の１つの考案（第４の考案）は、第３の考案の浄水器において、前記切替コックの前記第１の流出口は、水を集束状態で流出するストレート流出口と、水をシャワー化して吐出するシャワー流出口とを備え、
前記レバーを操作して、前記蛇口からの原水の流路を前記第２の流出口側に切替えて前記浄水器を通過させ前記ストレート流出口から流出させる第１の切替流路と、前記蛇口からの原水の流路を前記浄水器を通過させないで、原水のままでストレート流出口から流出させる第２の切替流路と、前記蛇口からの原水の流路を前記浄水器を通過させないで、原水のままでシャワー流出口からシャワー化して吐出する第３の切替流路とに切替可能に構成されていることを特徴とする。
【考案の効果】
【００１９】
本考案によれば、次のような作用効果を奏する。
（１）水処理用カートリッジの交換作業を簡単かつ円滑良好に行うことができる浄水器を提供することができる。
（２）第２の考案によれば、上記効果に加え、可動リング部の回転操作を円滑良好に行うことができる。
（３）第３及び第４の考案によれば、上記効果に加え、原水の流路を浄水器を通過させて切替コックの流出口から流出させる流路と浄水器を通過させないで切替コックの流出口から流出させる流路に選択して切替えることができる。
【図面の簡単な説明】
【００２０】
【図１】本考案の一実施形態の浄水器の構成を概略的に示す説明斜視図である。
【図２】前記浄水器の構成を概略的に示す説明正面図である。
【図３】前記浄水器の構成を概略的に示す説明平面図である。
【図４】水処理用カートリッジの構成を概略的に示す平面図である。
【図５】前記カートリッジの構成を概略的に示す説明縦断面図である。
【図６】前記カートリッジ内に供給される原水の流れを概略的に示す説明図である。
【図７】前記浄水器の構成を概略的に示す説明縦断面図である（但し、水処理剤は省略）。
【図８】前記架台ユニットの構成を概略的に示す図であって、同図（ａ）は説明平面図、同図（ｂ）は同図（ａ）のＡ−Ａ線説明断面図である。
【図９】架台ユニットの載置用台部の構成を概略的に示す図であって、同図（ａ）は説明平面図、同図（ｂ）は同図（ａ）のＢ−Ｂ線で切断し、その一部を拡大して示す説明断面図、同図（ｃ）は前記載置用台部の外周壁面に設けた案内用係合溝の作用を説明するための説明図である。
【図１０】可動リング部の前記ベース台部に対する正逆方向の回転角度を規制するストッパー手段の構成を説明するために示す説明図であって、同図（ａ）はベース台部の説明平面図、同図（ｂ）は可動リング部の説明平面図である。
【図１１】前記ストッパー手段の作用を説明するために示す図であって、同図（ａ）は可動リング部の正方向（時計方向）の回転範囲を規制する状態を示す説明図、同図（ｂ）は逆方向（逆時計方向）の回転範囲を規制する状態を示す説明図である。
【図１２】切替コックによる原水の流路を切替える状態を示す説明図であって、同図（ａ）は原水を浄水器側へ切替えた状態、同図（ｂ）はシャワー側へ切替えた状態、同図（ｃ）は原水をストレートで給水する側え切替えた状態を示す説明図、同図（ｄ）は前記切替コックを底面側から見た説明図である。
【図１３】前記浄水器に設けた切替コックを水道の蛇口に取付けた状態を概略的に示す説明図である。
【図１４】図１４（ａ）、（ｂ）、（ｃ）は前記切替コックによる切替流路を説明するために示すブロック説明図である。
【考案を実施するための形態】
【００２１】
以下、図面を参照して本考案の実施形態の一例について説明する。
【００２２】
図１ないし図１４は本考案の一実施形態の浄水器を示す。
【００２３】
図１ないし図１４に示すように、本実施形態の浄水器１００は、水処理用カートリッジ１と、架台ユニット２００と、切替コック３００とを備える。
【００２４】
前記カートリッジ１は図５等に詳細に示すように、上端を閉塞した円筒状のハウジング１０と、ハウジング１０の下端を気密に閉塞すると共に下端に固定して設けた底蓋部１１とを備える。
【００２５】
ハウジング１０内には、水改質活性セラミック１２ａ，抗菌セラミック１２ｂ，ＰＨ調整セラミック１２ｃ，水活性セラミック１２ｄ，粒状カルシウム剤１２ｅ，活性炭１２ｆ，抗菌セラミック１２ｇ，麦セラミック１２ｈ，粒状サンゴ１２ｉその他の所望の水処理剤１２を層状に積層して充填されている。
【００２６】
本実施形態のカートリッジ１は、ハウジング内の上端近くに敷設した上部フィルタ１３と、中間部に敷設した中間部フィルタ１４と、下端近くに敷設した底部フィルタ１５とを備える。
【００２７】
本実施形態の前記上部フィルタ１３は、仕切材の上下面に不織布（いずれも符号省略）を重合して構成されている。また、中間部フィルタ１４は不織布で構成されている。さらに、底部フィルタは、下部ホルダ部の上面に不織布を、下面に焼結フィルタ材（いずれも符号省略）を重合して構成されている。上記各フィルタ１３，１４，１５は一例として開示したもので、他の任意構成のフィルタを採用できること勿論である。
【００２８】
前記カートリッジ１は、底蓋部１１に突設した原水導入口管１６及び浄水流出口管１７と、管体１８ａの上下端を開口し、下端を原水導入口管と連通させると共に上端をハウジング１０内の上端部近く（上部フィルタ１３の上方部とハウジングの頂壁との間の空間部１８ｂ）に位置させて、ハウジング１０内に立設した流水管１８とを備える。これにより、原水導入口管１６から圧力導入される水（原水）は、流水管１８を通って流水管１８の上端から流出し、フィルタ１３，１４，１５及び水処理剤１２を通過し、この通過中に活性浄化等、水処理されて浄水流出口管１７から流出する。
【００２９】
また、前記カートリッジ１は、ハウジング１０の下端外壁に周方向に略等間隔で所望数設けた所定の幅（円周方向の長さ）及び高さの係合凸条部１９…１９を備える。本実施形態では係合凸条部１９を４個設けた例が開示されている。前記各係合凸条部１９…１９は、架台ユニット２００の後述する係合凹部に係合して、カートリッジ１を架台ユニットの載置用台上に着脱可能に起立して設置するためのものである。この点については追って詳細に説明する。
【００３０】
前記架台ユニット２００は、図８等に詳細に示すように、円筒部２０の下端に底蓋部２１を設けると共に上端を開口した所望の直径及び高さの円筒皿状のベース台部２と、前記ベース台部２の中央部に配置し、前記ベース台部２に固定して設けた載置用台部３と、前記ベース台部２の円筒部２０と略同径の円筒状に形成し、前記ベース台部上（ベース台部の円筒部２０上）に周方向に回転可能、かつ、係止手段により前記ベース台部に対して横方向及び上下方向への動きを係止して設けた可動リング部４と、可動リング部４の正逆方向の回転範囲を規制するストッパー手段５とを備える。
【００３１】
前記ベース台部２は、円筒部２０の上端から内側に垂直に延設した環状のフランジ部２２と、底蓋部２１の底部に設けたゴム製等の足台２３とを備える。前記可動リング部４は前記ベース台部のフランジ部２２上に回転可能に載置して設ける。
【００３２】
前記ベース台部２は、円筒部２０から外方へ開口した原水給水口部２４と浄水出水口部２５とを備える。原水給水口部２４は、図２に示すように、外部から内部方向へのみ水を流通する逆止弁２６が設けてあると共に浄水出水口部２５は、内部から外部方向へのみ水を流通する逆止弁２７を備える。
【００３３】
前記載置用台部３は、円形状の台板部３０と、台板部３０に設けられ、原水導入口管１６を気密に係入する第１の係入口部３１と、浄水流出口管１７を気密に係入する第２の係入口部３２とを備える。また、載置用台部３は、図７等に示すように、第１の係入口部３１とベース台部２の原水給水口部２４とを連通する第１の流水通路３３と、第２の係入口部３２とベース台部２の浄水出水口部２５とを連通する第２の流水通路３４とを備える。
【００３４】
さらにまた、載置用台部３は、台板部３０の外周部に沿わせて垂直に延設した所定の高さの円筒状（円形状）の垂直壁３５と、垂直壁３５の周方向にカートリッジ１の前記各係合凸条部１９…１９間の間隔と対応する間隔、かつ、前記係合凸条部１９の幅（周方向の長さ）及び高さと対応させて設け、各係合凸条部１９を係合する係合凹部３６…３６（符号３６は図９（ａ）等参照）とを備える。
【００３５】
前記可動リング部４は、ベース台部２の円筒部２０と略同径の円筒部４０と、垂直壁３５の上端と対向させるように、円筒部４０の上端から内側方向へ折曲して形成した押え用フランジ部４１と、載置用台部３の各係合凹部３６と対応させてフランジ部４１に設け、前記各係合凸条部１９を係入可能な切欠凹部４２…４２とを備える。
【００３６】
上記により、可動リング部４を所定角度回転して可動リング部４の各切欠凹部４２と載置用台部３の各係合凹部３６を合致させた状態で、カートリッジ１の原水導入口管１６及び浄水流出口管１７を載置用台部３の第１及び第２の係入口部３１及び３２に係入すると共に前記カートリッジの各係合凸条部１９を各切欠凹部４２を介して（通して）載置用台部３の各係合凹部３６に係合した後、可動リング部を所定方向へ所定角度回転することにより、各係合凸条部は各係合凹部の上壁面と可動リング部の押え用フランジ部４１で挟むように押えられてロックされる。したがって、上記により、カートリッジ１は架台ユニットの載置用台部上に起立固定して設置（セット）されるように構成されている。
【００３７】
そして、上記状態で可動リング部４を所定方向へ所定角度回転して、各切欠凹部４２を各係合凹部３６に係合させることにより、前記ロックは解除されるので、カートリッジを引張ることにより、架台ユニットから簡単に取り外すことができる。
【００３８】
なお、図面上には開示していないが、第１の係入口部３１及び第２の係入口部３２の所望部に０リングを設け、カートリッジの原水導入口管１６及び浄水流出口管１７を係入する際の気密性を高めるように構成することが好ましい。
【００３９】
前記可動リング部４は、上述したように、ベース台部２上に係止手段によりベース台部２に対して横方向及び上下方向への動きを係止して回転可能に載置して設ける。
【００４０】
本実施形態では、載置用台部３の円形状の台板部３０の外周面に、前記台板部３０の周縁部に沿わせて形成した案内用係合溝３７（符号３７は図９（ｂ）参照）を設ける。また、可動リング部４の円筒部４０内に、台板部３０と対応して湾曲した１対の金属板製等の案内用湾曲係合板４３ａ，４３ｂを相対して円筒部４０に図９（ｃ）等で示すようにネジ等（符号省略）で固定して設ける。そして、両湾曲係合板４３ａ，４３ｂは図９（ｃ）等に示すように、その内側端部を案内用係合溝内に摺動可能に係合してある。
【００４１】
上記により、可動リング部４は、ベース台部２に対して横方向及び上下方向の動きを係止して、周方向に回転可能に設けてある。このように、本実施形態の係止手段は、台板部の外周面に設けた案内用係合溝３７と可動リング部４の円筒部内に固定して対設した１対の金属板製等の案内用湾曲係合板を有し、両湾曲係合板の内側端部を案内用係合溝に摺動可能に係合した構成を採用している。
【００４２】
また、上記構成により、可動リング部は両湾曲係合板と案内用係合溝との係合により前記係合溝に沿って回転するので、可動リング部の回転操作を円滑良好に行うことができる。
【００４３】
前記載置用台部３は上述したように、ベース台部２に固定して設けてある。本実施形態では、図８（ｂ）等に示すように、載置用台部３をベース台部２のフランジ部２２にネジ等（符号省略）で固定すると共に支持杆３８…３８で支持させて固定する構成が開示されている。
【００４４】
前記ストッパー手段５は、可動リング部４の正逆方向の回転範囲（回転する角度の範囲）を規制するものである。
【００４５】
本実施形態のストッパー手段５は、ベース台部２のフランジ部２２の所定部に両案内用湾曲係合板４３ａ，４３ｂの端部と当接する１個のボス（当接用凸部）５０を設け、可動リング部を所定の角度で所定方向に回転した時点で一方の湾曲係合板４３ａの一端がボス５０に当接してそれ以上の回転を規制（阻止）し、可動リング部を前記と逆方向に所定角度回転した時点で他方の湾曲係合板４３ｂの一端が前記ボス５０に当接してそれ以上の回転を規制（阻止）するように構成されている。
【００４６】
具体的には次の通りである。即ち、図１１（ａ）に示す状態において、可動リング部４を左方向（逆時計方向）へ図１１（ｂ）に示すように約４５度回転した時点において一方の湾曲係合板４３ｂの一端がボス５０に当接してそれ以上の左方向への回転を規制する。この状態の時点で可動リング部４の各切欠凹部４２が載置用台部３の各係合凹部３６に合致する。これにより、カートリッジ１の各係合凸条部１９は各切欠凹部を介して係合凹部に係合可能になる。
【００４７】
そして、上記状態において、可動リング部４を前記と逆方向、即ち右方向（時計方向）へ約４５度回転した時点において他方の湾曲係合板４３ａの一端が図１１（ａ）に示すようにボス５０に当接してそれ以上の右方向への回転を規制し、元の位置に復帰する。これにより、各係合凸条部１９は各係合凹部の上壁面と可動リング部の押え用フランジ部４１で挟むように押えられてロックするように構成されている。
【００４８】
前記切替コック３００は、コック本体６と、コック本体６に設けた操作レバー７とを有する。
【００４９】
コック本体６は、円筒状のボディ６０の上端部に第１の流入口６１、下端部に流出口６２、及び側部に第２の流出口６３と第２の流入口を有すると共に内部に任意構成の流路切替ユニット（符号省略）とを有する。前記第１の流出口６２は第１の接続ホース７０により架台ユニットのベース台部２の原水給水口部２４と接続されている。第２の流入口６４は第２の接続ホース７１によりベース台部２の浄水出水口部２５と接続されている。切替コック３００は、図１３に示すように、第１の流入口６１を水道等７２の蛇口７３に連通して取付けて使用される。水道水等の原水は水道等に設けた開閉バルブ７４を開いて切替コック３００へ給水する。
【００５０】
切替コックは、レバー７を操作して、蛇口７３からの水道水等の原水の流路を第２の流出口６３側へ切替えて第１の接続ホース７２を介して浄水器の原水給水口部から浄水器へ給水し、浄水器のカートリッジ１を通過させて浄水出水口部から第２の接続ホースを介して第２の流水口からコック本体へ戻し、第１の流出口６２から外部へ流出させる切替通路と、蛇口からの原水の流路を浄水器を通過させないでストレートで第１の流出口から外部へ流出させる切替流路とに選択して切替可能に構成されている。
【００５１】
前記切替コック３００は、例えば実開平５−３０６５０号公報等に開示されているような公知の切替コックを任意に選択して採用することができる。
【００５２】
本実施形態の切替コックの前記第１の流出口６２は、水を集束状態で流出するストレート流出口６２ａと、水をシャワー化して吐出する多孔性等のシャワー流出口６２ｂとを備える。これにより、本実施形態の切替コックは、第１の切替流路、第２の切替流路、及び第３の切替流路の三種類の切替流路にレバーを操作して三段階に切替え可能に構成されている。
【００５３】
次に前記三種類の切替流路について、図１４を参照して具体的に説明する。図１４ａは第１の切替流路を示す。第１の切替流路は、レバー７を１段目に切替えた状態を示す。これにより、蛇口からの原水は第２の流水口から第１の接続ホース７２を介して浄水器に給水し、浄水器のカートリッジを通過させて浄水出水口部から第２の接続ホースを介して第２の流入口からコック本体へ戻し、第１の流出口６２のストレート流出口６２ａから外部へ流出させる切替通路である。
【００５４】
図１４ｂは第２の切替流路を示す。第２の切替流路は、図１４ｂに示すように、レバーを図１４ａの位置から１段上方へ動かす。これにより、蛇口からの原水は、浄水器を通過させることなく、原水をシャワー化して第２の流出口６２のシャワー流出口６２ｂから吐出させる切替通路である。
【００５５】
図１４ｃは第３の切替流路を示す。第３の切替流路は、図１４ｃに示すように、レバーを図１４ｂの位置から１段上方へ動かす。これにより、蛇口からの原水は浄水器を通過させないで、ストレートで第２の流出口のストレート流出口６２ａから外部へ流出させる切替通路である。
【００５６】
なお、本実施形態の切替コックは一例として開示したもので、図示以外の構成の切替コックを採用できること勿論である。
【００５７】
また、本実施形態のように、浄水器と切替コックを第１及び第２の接続ホースで接続し、切替コックから外部へ出水させるように構成すると、浄水器を安定して設置することができる。
【００５８】
また、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００５９】
１        水処理用カートリッジ
２        ベース台部
３        載置用台部
４        可動リング部
５        ストッパー手段
１０      円筒状ハウジング
１２      水処理剤
１６      原水導入口管
１７      浄水流出口管
２４      原水給水口部
２５      浄水出水口部
３１      第１の係入口部
３２      第２の係入口部
３６      係合凹部
４１      押え用フランジ部
４２      切欠凹部
【図１】
0003208590.tif 000003
【図２】
0003208590.tif 000004
【図３】
0003208590.tif 000005
【図４】
0003208590.tif 000006
【図５】
0003208590.tif 000007
【図６】
0003208590.tif 000008
【図７】
0003208590.tif 000009
【図８】
0003208590.tif 000010
【図９】
0003208590.tif 000011
【図１０】
0003208590.tif 000012
【図１１】
0003208590.tif 000013
【図１２】
0003208590.tif 000014
【図１３】
0003208590.tif 000015
【図１４】
0003208590.tif 000016